(57)【要約】【課題】ＥＱパラメータの調整がより容易に行い得る「オーディオ装置」を提供することである。【解決手段】調整用楽曲を再生しながら複数の周波数帯域それぞれについて調整操作することによって設定されたＥＱパラメータに基づいて出力音の音質を制御するイコライザ１２を備えたオーディオ装置であって、前記複数の周波数帯域それぞれのＥＱパラメータに対応させて調整用楽曲を特定する楽曲特定情報を記憶する記憶手段２５と、前記各周波数帯域についてのＥＱパラメータの調整を行う際に、当該周波数帯域のＥＱパラメータに対応した前記楽曲特定情報を前記記憶手段２５から取得し、該楽曲特定情報にて特定される楽曲を再生するための処理を行う調整時処理手段２１、２２、２３とを有する構成となる。【選択図】図１
2010147763.tif 000002
【特許請求の範囲】
【請求項１】
調整用楽曲を再生しながら複数の周波数帯域それぞれについて調整操作することによって設定されたＥＱパラメータに基づいて出力音の音質を制御するイコライザを備えたオーディオ装置であって、
前記複数の周波数帯域それぞれのＥＱパラメータに対応させて調整用楽曲を特定する楽曲特定情報を記憶する記憶手段と、
前記各周波数帯域についてのＥＱパラメータの調整を行う際に、当該周波数帯域のＥＱパラメータに対応した前記楽曲特定情報を前記記憶手段から取得し、該楽曲特定情報にて特定される楽曲を再生するための処理を行う調整時処理手段とを有するオーディオ装置。
【請求項２】
調整用楽曲を再生しながらある周波数帯域についてＥＱパラメータの調整操作を行った際に、前記調整楽曲を特定する楽曲特定情報を前記周波数帯域のＥＱパラメータに対応させて前記記憶手段に記憶させる登録処理手段を有する請求項１記載のオーディオ装置。
【請求項３】
前記調整用楽曲は、当該オーディオ装置にセットされる記憶媒体から読み出されて再生されるものであって、
前記楽曲特定情報は、前記記憶媒体内における前記調整用楽曲の格納位置を含む請求項１または２記載のオーディオ装置。
【発明の詳細な説明】
【技術分野】
【０００１】
本発明は、出力音の音質を調整するイコライザを備えたオーディオ装置に関する。
【背景技術】
【０００２】
従来、出力音の音質を調整するイコライザを備えたオーディオ装置がある（例えば、特許文献１参照）。この種のオーディオ装置では、出力音の複数の周波数帯域それぞれの中心周波数Ｆｃ、その音の利得Ｇ及びその先鋭度（Ｑ値）の一または複数を調整することができるようになっている（これら中心周波数Ｆｃ、利得Ｇ及び先鋭度（Ｑ値）を総称して、以下、ＥＱパラメータという）。このＥＱパラメータの調整では、ユーザが、ＣＤ等の音源から再生される楽曲を聴きながら各周波数帯域の出力音が聴き易くかつそのＥＱパラメータの調整に適した楽曲範囲を見つけ、その楽曲範囲において、ＥＱパラメータを調整し、その調整前後での音質の違いから調整レベルを決めるような操作を行うことになる。
【０００３】
このようなオーディオ装置によれば、出力音の複数の周波数帯域それぞれのＥＱパラメータを調整することができるので、ＣＤ等の音源からの楽曲をユーザの好みに合った音質にて再生することができるようになる。
【特許文献１】実開平５−９１０２５号公報
【発明の開示】
【発明が解決しようとする課題】
【０００４】
しかしながら、前述したＥＱパラメータの調整では、音源から楽曲が再生されている際に各周波数帯域のＥＱパラメータ調整に適した楽曲部分を聴き逃さないように注意しなければならず、細かい音質の違いを判断しながら行わなければならないその調整操作に集中し難く、結果としてその調整操作が難しいものとなっていた。このことは特に調整経験の少ないユーザにとって著しい。
【０００５】
本発明は、このような事情に鑑みてなされたもので、ＥＱパラメータの調整がより容易に行い得るオーディオ装置を提供するものである。
【課題を解決するための手段】
【０００６】
本発明に係るオーディオ装置は、調整用楽曲を再生しながら複数の周波数帯域それぞれについて調整操作することによって設定されたＥＱパラメータに基づいて出力音の音質を制御するイコライザを備えたオーディオ装置であって、前記複数の周波数帯域それぞれのＥＱパラメータに対応させて調整用楽曲を特定する楽曲特定情報を記憶する記憶手段と、前記各周波数帯域についてのＥＱパラメータの調整を行う際に、当該周波数帯域のＥＱパラメータに対応した前記楽曲特定情報を前記記憶手段から取得し、該楽曲特定情報にて特定される楽曲を再生するための処理を行う調整時処理手段とを有する。
【０００７】
このような構成により、各周波数帯域についてのＥＱパラメータを調整する際に、ユーザが調整用楽曲を決めなくても、予め記憶手段に記憶しておいた楽曲特定情報にて特定される楽曲が調整用楽曲として再生され得るようになる。
【０００８】
前記調整用楽曲は、1曲分の楽曲であっても、1曲分の楽曲の一部であってもよい。
【０００９】
また、本発明に係るオーディオ装置は、調整用楽曲を再生しながらある周波数帯域についてＥＱパラメータの調整操作を行った際に、前記調整楽曲を特定する楽曲特定情報を前記周波数帯域のＥＱパラメータに対応させて前記記憶手段に記憶せる登録処理手段を有する構成とすることができる。
【００１０】
このような構成により、ユーザは、各周波数帯域それぞれについてＥＱパラメータの調整を行うのに用いられる調整用楽曲として適した楽曲を特定する楽曲特定情報を登録することができるようになる。
【００１１】
更に、本発明に係るオーディオ装置は、前記調整用楽曲は、当該オーディオ装置にセットされる記憶媒体から読み出されて再生されるものであって、前記楽曲特定情報は、前記記憶媒体内における前記調整用楽曲の格納位置を含むように構成することができる。
【００１２】
このような構成により、ＣＤ等の記憶媒体に記憶された楽曲を調整用楽曲として利用する場合に、その格納位置にて1曲分の楽曲の一部を調整用楽曲として特定することができる。
【発明の効果】
【００１３】
本発明に係るオーディオ装置によれば、各周波数帯域についてのＥＱパラメータを調整する際に、ユーザが調整用楽曲を決めなくても、予め記憶手段に記憶しておいた楽曲特定情報にて特定される楽曲が調整用楽曲として再生され得るようになるので、ＥＱパラメータの調整がより容易に行い得るようになる。
【発明を実施するための最良の形態】
【００１４】
以下、本発明の実施の形態について、図面を用いて説明する。
【００１５】
本発明の実施の一形態に係るオーディオ装置は、図１に示すように構成されている。
【００１６】
図１において、このオーディオ装置は、再生部１１、ＥＱ部（イコライザ）１２、アンプ１３及びスピーカ１４を有する。再生部１１は、ＣＤ等の演奏ソース（音源）１００から楽曲データを読み出してその楽曲を表わすオーディオ信号を出力する。ＥＱ部（イコライザ）１２は、後述するようにＥＱ設定部２１により複数の周波数帯域それぞれについて設定されたＥＱパラメータ（中心周波数Ｆｃ、利得Ｇ、Ｑ値）の値に基づいて前記オーディオ信号に対する周波数帯域毎のフィルタ処理を行う。ＥＱ部１２から出力されたオーディオ信号がアンプ１３を介してスピーカ１４に供給され、スピーカ１４から前記オーディオ信号に対応した楽曲音が出力される。
【００１７】
スピーカ１４からの出力音（楽曲音）の音質は、ＥＱ部１２に設定されているＥＱパラメータの値に応じて決まる。例えば、比較的高い周波数帯域において大きい利得Ｇが設定されていれば、その出力音は高音が強調されるようになり、逆に比較的低い周波数帯域において大きい利得Ｇが設定されていれば、その出力音は低音が強調されるようになる。
【００１８】
また、前記オーディオ装置は、ＥＱ設定部２１、ＥＱ情報取得部２２、再生曲・位置設定部２３、再生曲・位置取得部２４及び調整用楽曲データベース２５（ハードディスク等の記憶手段）を有している。ＥＱ設定部２１は、ユーザによる操作部の操作に基づいて、複数の周波数帯域それぞれについてのＥＱパラメータの値（中心周波数Ｆｃの値、利得Ｇの値、Ｑ値の値）を設定する。ＥＱ情報取得部２１は、ＥＱ設定部２１にて設定されるＥＱパラメータを取得し、そのＥＱパラメータを、再生曲・位置設定部２３に供給し（調整時動作）、または、調整用楽曲データベース２５に供給する（登録時動作）。
【００１９】
再生曲・位置設定部２３は、ＥＱ情報設定部２２から供給されるＥＱパラメータに対応した楽曲特定情報（ＣＤ等のソース１００の格納位置にて表される）を調整用データベース２５から読み出して再生部１１に提供する。再生部１１は、楽曲特定情報にて特定される楽曲をＣＤ等の演奏ソース１００から読み出し、その楽曲のオーディオ信号をＥＱ部１２に供給する。前記オーディオ信号がＥＱ部１２での前記処理及びアンプ１４での処理を経てスピーカ１４に供給され、前記オーディオ信号に基づいた楽曲音（調製用楽曲音）がスピーカ１４から出力される。
【００２０】
再生曲・位置取得部２４は、再生部１１がＣＤ等の演奏ソース１００から読み出している調整用楽曲の格納位置（例えば、トラック番号Ｔｒ及び再生時間範囲）を取得し、その格納位置を楽曲特定情報として調整用楽曲データベース２５に格納する。
【００２１】
次に、このオーディオ装置での具体的な処理について説明する。
【００２２】
ＥＱ部１２における複数の周波数帯域それぞれについてのＥＱパラメータを設定する際に再生すべき楽曲を登録する場合、図２に示す手順に従った制御部（図示略）による制御に基づいてオーディオ装置の各部が処理（登録処理）を実行する。
【００２３】
ユーザは、ＥＱパラメータを調整するために適している楽曲が格納されているＣＤ（以下、リファレンスＣＤという）の再生操作を行う。これにより、オーディオ装置では、リファレンスＣＤから読み出される楽曲が調整用楽曲として再生される。このような状況において、リファレンスＣＤの再生開始が確認されると（Ｓ１）、ＥＱパラメータの調整開始の指示操作がなされたか否かが判定される（Ｓ２）。ユーザは、リファレンスＣＤから再生される楽曲を聴きながら、ある周波数帯域、例えば、最も低域である周波数帯域（ＢＡＮＤ１）についてのＥＱパラメータ（中心周波数Ｆｃ、利得Ｇ及びＱ値のうちの少なくともいずれか）を調整するために適している楽曲音がスピーカ１４から出力されると、ＥＱパラメータの調整開始の指示操作を行う。それに応じてＥＱパラメータの調整開始の指示操作があったとの判定がなされると（Ｓ２でＹＥＳ）、制御部による制御のもと、再生曲・位置取得部２４が、前記指示操作がなされた時点での再生トラック番号Ｔｒを取得するとともに、その時点での再生位置を開始点ＳＴとして取得する（Ｓ３）。なお、開始点ＳＴは、例えば、その楽曲の演奏開始からの時間（秒数）にて表すことができる。その後、ＥＱパラメータの調整終了の指示操作がなされた否かが判定される（Ｓ４）。
【００２４】
ユーザは、調整開始の指示操作を行った後、再生される楽曲音を聴きながらＥＱ部（イコライザ）１２においてＥＱパラメータ（中心周波数Ｆｃ、利得Ｇ及びＱ値のうちの少なくともいずれか）の調整を行う。そして、出力される楽曲音の音質が好みにあったものになると、ユーザは、そのＥＱパラメータの調整終了の指示操作を行う。それに応じてＥＱパラメータの調整終了の指示操作がなされたと判定されると（Ｓ４でＹＥＳ）、制御部による制御のもと、ＥＱ情報取得部２２が、前記ユーザにより調整されたＥＱパラメータ（中心周波数Ｆｃ、利得Ｇ及びＱ値の少なくともいずれか）を取得する（Ｓ５）とともに、再生曲・位置取得部２４が、前記指示操作がなされた時点での再生位置を終了点ＥＤとして取得する（Ｓ６）。なお、この終了点ＥＤも、例えば、その楽曲の演奏開始からの時間（秒数）にて表わすことができる。
【００２５】
その後、制御部による制御のもと、ＥＱ情報取得部２２によって取得されたＥＱパラメータ、及び再生曲・位置取得部２４にて取得された前記調整用楽曲として再生された楽曲の再生トラック番号Ｔｒｎ、開始点ＳＴ及び終了点ＥＤがそれぞれ対応付けられた状態で調整用楽曲データベース２５に格納（登録）される（Ｓ７）。その後、ＥＱパラメータの調整が継続されるか否かが、例えば、ユーザによる終了操作の有無に基づいて判定される（Ｓ８）。ここで、まだ、ＥＱパラメータの調整が継続しているとの判定がなされると（Ｓ８でＹＥＳ）、次の周波数帯域についての、あるいは、同じ周波数帯域についての次のＥＱパラメータの調整開始の指示操作がなされたか否かが判定される（Ｓ２）。そして、その調整開始の指示操作がなされたとの判定がなされると（Ｓ２でＹＥＳ）、前述したのと同様の処理（Ｓ３〜Ｓ７）がなされ、当該周波数帯域についてのＥＱパラメータ及びそのＥＱパラメータの調整に用いられた調整用楽曲を特定する再生トラック番号Ｔｒｎ、開始点ＳＴ及び終了点ＥＤがそれぞれ対応付けられた状態で調整用楽曲データベース２５に登録される（Ｓ７）。
【００２６】
前記処理（Ｓ２〜Ｓ８）は、ユーザによって終了操作がなされるまで繰り返し実行され、その過程で、各周波数帯域についてのＥＱパラメータ及びそのＥＱパラメータの調整に用いられた調整用楽曲を特定する再生トラック番号Ｔｒｎ、開始点ＳＴ及び終了点ＥＤが順次調整用楽曲データベース２５に登録される。そして、ユーザによる終了操作がなされ、ＥＱパラメータの調整が継続されないものと判定されると（Ｓ８でＮＯ）、登録時の処理が終了する。
【００２７】
前述した処理の結果、例えば、図３に示すような情報が調整用楽曲データベース２５に登録される。図３において、最低域の周波数帯域ＢＡＮＤ１についてのＥＱパラメータである中心周波数帯域Ｆｃと、利得Ｇと、所定値ｑ１以上のＱ値（先鋭度）には、リファレンスＣＤのトラック番号Ｔｒ１及び位置範囲ＳＴ１−ＥＤ１にて構成される楽曲特定情報が対応づけられ、同周波数帯域ＢＡＮＤ１についてのＥＱパラメータである所定値ｑ１より小さいＱ値にはリファレンスＣＤのトラック番号Ｔｒi1及び位置範囲ＳＴi1−ＥＤi1にて構成される楽曲特定情報が対応づけられている。また、比較的低域の周波数帯域ＢＡＮＤ２についてのＥＱパラメータである中心周波数帯域Ｆｃと、利得Ｇと、所定値ｑ１以上のＱ値（先鋭度）には、リファレンスＣＤのトラック番号Ｔｒ２及び位置範囲ＳＴ２−ＥＤ２にて構成される楽曲特定情報が対応づけられ、同周波数帯域ＢＡＮＤ２についてのＥＱパラメータである所定値ｑ１より小さいＱ値にはリファレンスＣＤのトラック番号Ｔｒi2及び位置範囲ＳＴi2−ＥＤi2にて構成される楽曲特定情報が対応づけられている。同じようにして各周波数帯域についての各ＥＱパラメータに対して楽曲特定情報が対応づけられ、最高域の周波数帯域ＢＡＮｎについてのＥＱパラメータである中心周波数帯域Ｆｃと、利得Ｇと、所定値ｑ１以上のＱ値（先鋭度）には、リファレンスＣＤのトラック番号Ｔｒｎ及び位置範囲ＳＴｎ−ＥＤｎにて構成される楽曲特定情報が対応づけられ、同周波数帯域ＢＡＮＤｎについてのＥＱパラメータである所定値ｑ１より小さいＱ値にはリファレンスＣＤのトラック番号Ｔｒin及び位置範囲ＳＴin−ＥＤinにて構成される楽曲特定情報が対応づけられている。
【００２８】
図３に示すような情報にて構成される調整用楽曲データベース２５では、一般的に、中間周波数Ｆｃが比較的大きい場合（比較的高域の周波数帯域）では、高音の多く含まれた楽曲が特定されるようになり、中間周波数Ｆｃが比較的小さい場合（比較的低域の周波数帯域）では、低音の多く含まれた楽曲が特定されるようになる。また、利得Ｇについては、各周波数帯域とも中間周波数帯域Ｆｃ付近の成分を多く含む楽曲、即ち、中間周波数Ｆｃに対応づけられる楽曲と同様の楽曲が特定される。Ｑ値については、そのＱ値が所定値ｑ１以上で、中間周波数Ｆｃを中心とした特性カーブが比較的鋭くなる場合、各周波数帯域ともその中間周波数Ｆｃ付近の成分を多く含む楽曲、即ち、中間周波数Ｆｃに対応づけられる楽曲と同様の楽曲が特定され、そのＱ値が所定値ｑ１より小さく、中間周波数Ｆｃを中心とした特性カーブが緩やかになる場合、各周波数帯域とも中間周波数Ｆｃ付近だけでなく、その上下の周波数成分を含む楽曲が特定されるようになる。
【００２９】
前述したような調整用楽曲データベース２５（図３参照）が得られると、ユーザは、以後、ＥＱパラメータの調整に調整用楽曲データベース２５を利用して容易にその調整ができるようになる。その際の処理（調整時処理）について説明する。
【００３０】
前記リファレンスＣＤが当該オーディオ装置にセットされた状態で、図４に示す手順に従った処理がなされる。図４において、ユーザが、ＥＱパラメータの調整を行うべき周波数帯域（ＢＡＮＤ）及び調整すべきＥＱパラメータ（中心周波数Ｆｃ、利得Ｇ及びＱ値のいずれか）の入力操作を行うと、制御部による制御のもと、ＥＱ情報取得部２２が、前記入力操作に基づいてＥＱ設定部２１により設定されるその周波数帯域（ＢＡＮＤ）及びＥＱパラメータを取得する（Ｓ１１）。そして、制御部による制御のもと、再生曲・位置設定部２３が前記取得された周波数帯域（ＢＡＮＤ）及びＥＱパラメータに対応した楽曲特定情報（トラック番号Ｔｒ、再生範囲ＳＴ−ＥＤ）を調整用楽曲データベース２５（図３参照）から取得し（Ｓ１２）、再生開始指示ともにその楽曲特定情報（トラック番号Ｔｒ、再生範囲ＳＴ−ＥＤ）を再生部１１に供給する（Ｓ１３）。その後、ＥＱパラメータの調整が終了したか否かの判定がなされる（Ｓ１４）。
【００３１】
再生部１１は、前記楽曲特定情報（トラック番号Ｔｒ、再生範囲ＳＴ−ＥＤ）にて特定される楽曲部分を調整用楽曲としてリファレンスＣＤから読み出す。そして、再生部１１から対応するオーディオ信号がＥＱ部１２及びアンプ１３を介してスピーカ１４に供給され、その楽曲部分（調整用楽曲）の楽曲音が出力される。ユーザは、その楽曲音を聴きながらＥＱ部（イコライザ）１２において、出力される楽曲音が好みの音質となるように前記周波数帯域についてのＥＱパラメータの調整を行う。ＥＱ部１２での当該周波数帯域についてのＥＱパラメータの調整により、出力される楽曲音が好みに音質になると、ユーザは、調整終了の指示操作を行う。それに応じてＥＱパラメータの調整が終了したとの判定がなされると（Ｓ１４でＹＥＳ）、制御部から再生部１１に再生終了指示がなされ（Ｓ１５）、再生部１１はリファレンスＣＤからの調整用楽曲としての楽曲部分の再生を停止する。
【００３２】
その後、ＥＱパラメータの調整が継続されるか否かが、例えば、ユーザによる終了操作の有無に基づいて判定される（Ｓ１６）。ここで、まだ、ＥＱパラメータの調整が継続しているとの判定がなされると（Ｓ１６でＹＥＳ）、前述したのと同様に、ユーザの入力操作に基づいた次の周波数帯域についてのＥＱパラメータ、あるいは、同じ周波数帯域についてのＥＱパラメータが取得される（Ｓ１１）。そして、それら周波数帯域及びＥＱパラメータに対応した楽曲特定情報（トラック番号Ｔｒ、再生範囲ＳＴ−ＥＤ）が調整用楽曲データベース２５（図３参照）から取得され（Ｓ１２）、その楽曲特定情報にて特定される新たな楽曲がリファレンスＣＤから読みだされて再生される（Ｓ１３）。この状態で、ユーザは、その再生される新たな楽曲を聴きながら指定した周波数帯域についてのＥＱパラメータの調整を行うことができる。
【００３３】
前述したような処理（Ｓ１１〜Ｓ１６）が、ユーザによる終了操作がなされ、ＥＱパラメータの調整が継続されないものと判定されるまで繰り返し実行される。その結果、複数の周波数帯域それぞれでのＥＱパラメータの調整が、当該周波数帯域についてのＥＱパラメータに対応して調整用楽曲データベース２５に予め登録された楽曲特定情報によって特定される楽曲が再生される状況のもとで行われるようになる。そして、ユーザによる終了操作がなされ、ＥＱパラメータの調整が継続されないものと判定されると（Ｓ１６でＮＯ）、調整時の処理が終了する。
【００３４】
前述したようなオーディオ装置では、各周波数帯域についてのＥＱパラメータを調整する際に、ユーザは、リファレンスＣＤから再生される楽曲から各周波数帯域についてのＥＱパラメータの調整に適した楽曲部分を探し出すなど、自分でその調整用楽曲を決めなくても、調整すべき周波数帯域についてのＥＱパラメータを指定するだけで、調整用楽曲データベース２５に登録された楽曲特定情報（トラック番号Ｔｒｎ、開始点ＳＴ、終了点ＥＤ）にて特定されるその調整に適した楽曲が再生されるようになる。従って、ユーザは、調整用楽曲を探し出す作業を行わなくて済む分、調整作業に集中することができ、ＥＱパラメータの調整がより容易に行い得るようになる。
【００３５】
前述したオーディオ装置では、各周波数帯域についてのＥＱパラメータに対応した楽曲特定情報を調整用楽曲データベース２５に登録できるものであったが、専門家によってそのような楽曲特定情報が予め登録された既製の調整用楽曲データベース２５を備えるものであってもよい。この場合、そのオーディオ装置は、楽曲特定情報を調整用楽曲データベース２５に登録する機能（図２の処理参照）を備えるものであっても、備えないものであってもよい。
【００３６】
前述したオーディオ装置では、ＥＱパラメータを調整する際に利用される楽曲は、リファレンスＣＤから読みだされるものであったが、他の記録媒体から読みだされるものであっても、インターネット等のネットワークを介して利用するものであってもよい。ネットワークを利用する場合、調整用楽曲データベース２５には、各楽曲のそのネットワーク上のアドレスが楽曲特定情報として用いられる。
【産業上の利用可能性】
【００３７】
以上、説明したように、本発明に係るオーディオ装置は、各周波数帯域についてのＥＱパラメータを調整する際に、ユーザが調整用楽曲を決めなくても、予め記憶手段に記憶しておいた楽曲特定情報にて特定される楽曲が調整用楽曲として再生され得るようになって、そのＥＱパラメータの調整がより容易に行い得るようになるという効果を有し、出力音の音質を調整するイコライザを備えたオーディオ装置として有用である。
【図面の簡単な説明】
【００３８】
【図１】本発明の実施の一形態に係るオーディオ装置の構成を示すブロック図である。
【図２】図１に示すオーディオ装置におけるＥＱ情報登録時における処理の流れを示すフローチャートである。
【図３】調整用楽曲データベースの構成例を示す図である。
【図４】図１に示すオーディオ装置におけるＥＱパラメータ調整時における処理の流れを示すフローチャートである。
【符号の説明】
【００３９】
１１  再生部
１２  ＥＱ部（イコライザ）
１３  アンプ
１４  スピーカ
２１  ＥＱ設定部
２２  ＥＱ情報取得部
２３  再生曲・位置設定部
２４  再生曲・位置取得部
２５  調整用楽曲データベース
【図１】
2010147763.tif 000003
【図２】
2010147763.tif 000004
【図３】
2010147763.tif 000005
【図４】
2010147763.tif 000006